(57)【特許請求の範囲】
【請求項１】
グリーンタイヤを加硫機近傍まで運搬して保持するグリーンタイヤ運搬・保持装置であって、
略並行に配置された一対の駆動軸と、前記一対の駆動軸に支持されており、複数の前記グリーンタイヤを前記駆動軸の軸方向に並べて縦置きの状態で載置させて保持することができる無端状のタイヤ載置用ベルトとを備えたグリーンタイヤ運搬台車と、
前記加硫機の近傍に配置されており、前記一対の駆動軸の少なくとも一方と連結させることにより、前記駆動軸を回転させる回転駆動装置とを備えており、
前記タイヤ載置用ベルト上に前記複数のグリーンタイヤを縦置きに載置した状態で、前記駆動軸が回転することにより前記タイヤ載置用ベルトが回転するように構成されていることを特徴とするグリーンタイヤ運搬・保持装置。
【請求項２】
前記タイヤ載置用ベルトの前記駆動軸の軸方向における寸法が１．５〜２．５ｍであり、前記一対の駆動軸の間隔が０．５〜１．５ｍであることを特徴とする請求項１に記載のグリーンタイヤ運搬・保持装置。
【請求項３】
前記駆動軸の表面に滑り止め加工が施されていることを特徴とする請求項１または請求項２に記載のグリーンタイヤ運搬・保持装置。
【請求項４】
前記滑り止め加工がローレット加工であることを特徴とする請求項３に記載のグリーンタイヤ運搬・保持装置。
【請求項５】
前記グリーンタイヤ運搬台車の上面に、前記駆動軸の軸方向に所定の間隔を設けて複数の仕切部材が設けられていることを特徴とする請求項１ないし請求項４のいずれか１項に記載のグリーンタイヤ運搬・保持装置。
【請求項６】
前記仕切部材の表面に、複数のボールベアリングが設けられていることを特徴とする請求項５に記載のグリーンタイヤ運搬・保持装置。
【発明の詳細な説明】
【技術分野】
【０００１】
本発明は、成形後のグリーンタイヤを加硫機まで運搬した後保持するグリーンタイヤ運搬・保持装置に関する。
【背景技術】
【０００２】
タイヤ製造工程の成形工程において成形されたグリーンタイヤは、グリーンタイヤ運搬台車に積載されて加硫機近傍まで運搬された後、加硫機に供給されるまで保持される（例えば、特許文献１、２）。
【０００３】
図７は従来のグリーンタイヤ運搬台車を模式的に示す斜視図である。図７に示すように、グリーンタイヤ運搬台車５０は、略並行に配置された一対の長尺のフレーム５３、５４と、このフレーム５３、５４に掛け渡されたハンモック状のタイヤ載置用布材５５とを備えており、タイヤ載置用布材５５の上にグリーンタイヤＴが縦置きの状態で載置される。なお、図７中の５１はキャスターであり、５２はフレーム５３、５４を支持する脚部である。
【先行技術文献】
【特許文献】
【０００４】
【特許文献１】特開２００４―３５９４４８号公報
【特許文献２】特開平０６―２３８７７０号公報
【発明の概要】
【発明が解決しようとする課題】
【０００５】
しかしながら、上記した従来のグリーンタイヤ運搬台車５０では、縦置きの状態で載置されたグリーンタイヤＴが、時間経過に伴って自重によりタイヤ載置用布材５５の形状に合わせて変形して加硫後のタイヤのユニフォミティ（均一性）を悪化させる恐れがあり、ユニフォミティの悪化は走行中に振動や騒音を招く大きな原因となる。
【０００６】
そこで、このようなグリーンタイヤの変形を防止するために、従来より、グリーンタイヤを作業者が手作業で反転させる、変形防止用の保持器具にグリーンタイヤを積み替える、グリーンタイヤを台車から積み降ろして横向きに配置するなどの対策が採られているが、いずれの場合でもグリーンタイヤの積み替えなどによる作業ロスや運搬性能の低下が生じる。
【０００７】
そこで、本発明は、作業ロスを生じさせることなく、縦置きに載置させた状態のグリーンタイヤの自重による変形を抑制することができ、加硫後のタイヤのユニフォミティの低下を防止することができる技術を提供することを課題とする。
【課題を解決するための手段】
【０００８】
本発明者は、上記の課題を解決するため鋭意検討を行った結果、以下に記載する発明により上記の課題が解決できることを見出し、本発明を完成させるに至った。
【０００９】
請求項１に記載の発明は、
グリーンタイヤを加硫機近傍まで運搬して保持するグリーンタイヤ運搬・保持装置であって、
略並行に配置された一対の駆動軸と、前記一対の駆動軸に支持されており、複数の前記グリーンタイヤを前記駆動軸の軸方向に並べて縦置きの状態で載置させて保持することができる無端状のタイヤ載置用ベルトとを備えたグリーンタイヤ運搬台車と、
前記加硫機の近傍に配置されており、前記一対の駆動軸の少なくとも一方と連結させることにより、前記駆動軸を回転させる回転駆動装置とを備えており、
前記タイヤ載置用ベルト上に前記複数のグリーンタイヤを縦置きに載置した状態で、前記駆動軸が回転することにより前記タイヤ載置用ベルトが回転するように構成されていることを特徴とするグリーンタイヤ運搬・保持装置である。
【００１０】
請求項２に記載の発明は、
前記タイヤ載置用ベルトの前記駆動軸の軸方向における寸法が１．５〜２．５ｍであり、前記一対の駆動軸の間隔が０．５〜１．５ｍであることを特徴とする請求項１に記載のグリーンタイヤ運搬・保持装置である。
【００１１】
請求項３に記載の発明は、
前記駆動軸の表面に滑り止め加工が施されていることを特徴とする請求項１または請求項２に記載のグリーンタイヤ運搬・保持装置である。
【００１２】
請求項４に記載の発明は、
前記滑り止め加工がローレット加工であることを特徴とする請求項３に記載のグリーンタイヤ運搬・保持装置である。
【００１３】
請求項５に記載の発明は、
前記グリーンタイヤ運搬台車の上面に、前記駆動軸の軸方向に所定の間隔を設けて複数の仕切部材が設けられていることを特徴とする請求項１ないし請求項４のいずれか１項に記載のグリーンタイヤ運搬・保持装置である。
【００１４】
請求項６に記載の発明は、
前記仕切部材の表面に、複数のボールベアリングが設けられていることを特徴とする請求項５に記載のグリーンタイヤ運搬・保持装置である。
【発明の効果】
【００１５】
本発明によれば、作業ロスを生じさせることなく、縦置きに載置させた状態のグリーンタイヤの自重による変形を抑制することができ、加硫後のタイヤのユニフォミティの低下を防止することができる技術を提供することができる。
【図面の簡単な説明】
【００１６】
【図１】本発明の一実施の形態に係るグリーンタイヤ運搬・保持装置を模式的に示す図であり、（ａ）は斜視図、（ｂ）は正面図、（ｃ）は側面図である。
【図２】図１のグリーンタイヤ運搬・保持装置の回転駆動装置の凸状ジョイント部とグリーンタイヤ運搬台車の駆動軸との連結方法を説明する斜視図である。
【図３】本発明の一実施の形態に係るグリーンタイヤ運搬・保持装置の配置位置を模式的に示す平面図である。
【図４】本発明の他の実施の形態に係るグリーンタイヤ運搬・保持装置を示す正面図である。
【図５】実施例のグリーンタイヤの変形の評価において測定した寸法を説明する図である。
【図６】実施例におけるタイヤのＲＦＶ値の測定結果を示すグラフである。
【図７】従来のグリーンタイヤ運搬台車を模式的に示す斜視図である。
【発明を実施するための形態】
【００１７】
以下、図面を参照しつつ本実施の形態について説明する。
【００１８】
１．グリーンタイヤ運搬・保持装置
（１）装置構成の概要
図１は本実施の形態に係るグリーンタイヤ運搬・保持装置の示す正面図であり、（ａ）は斜視図、（ｂ）は正面図、（ｃ）は側面図である。なお、図１（ｂ）および（ｃ）では、タイヤ載置用ベルト上にグリーンタイヤを載置させた状態を記載している。また、図２は図１のグリーンタイヤ運搬・保持装置の回転駆動装置の凸状ジョイント部とグリーンタイヤ運搬台車の駆動軸との連結方法を説明する斜視図である。
【００１９】
図１（ａ）および（ｂ）に示すように、本実施の形態に係るグリーンタイヤ運搬・保持装置１０は、グリーンタイヤ運搬台車１１と回転駆動装置４０とから構成されている。
【００２０】
グリーンタイヤ運搬台車１１は、略並行に配置された一対の駆動軸１２、１３と、筒状に形成されて一対の駆動軸１２、１３に支持された無端状のタイヤ載置用ベルト１６とを備えている。なお、タイヤ載置用ベルト１６は、複数のグリーンタイヤＴを駆動軸１２、１３の軸方向に並べて縦置きの状態で載置させて保持することができる寸法を有している。
【００２１】
そして、本実施の形態に係るグリーンタイヤ運搬・保持装置１０は、回転駆動装置４０がグリーンタイヤＴを加硫成形する加硫機（図示省略）の近傍に配置されており、グリーンタイヤ運搬台車１１の駆動軸１２と回転駆動装置４０とを連結させることにより、駆動軸１２を回転させることができる。そして、タイヤ載置用ベルト１６上にグリーンタイヤＴを縦置きに載置した状態で、駆動軸１２を回転させることにより載置用ベルト１６を回転させて、複数のグリーンタイヤＴを回転させることができる。
【００２２】
これにより、グリーンタイヤＴが自重により変形しようとする力を分散させることができ、グリーンタイヤの変形を抑制して加硫後のタイヤのユニフォミティの低下を容易に防止することができる。
【００２３】
そして、グリーンタイヤ運搬台車１１上でグリーンタイヤの変形を抑制しながら保持することができるため、保持中に手作業でグリーンタイヤを反転させる必要や変形防止用の保持器具に積み替える必要などがなくなり、作業ロスや運搬性能の低下を抑制することができる。
【００２４】
また、グリーンタイヤ運搬台車１１と回転駆動装置４０とを別個に設けているため、グリーンタイヤ運搬台車の小型化、軽量化を図ることができる。また、１台の回転駆動装置４０に複数のグリーンタイヤ運搬台車１１を交換して連結することができるため、設備コストを安くすることができる。
【００２５】
以下、グリーンタイヤ運搬台車１１と回転駆動装置４０の具体的な構造を説明する。
【００２６】
（２）グリーンタイヤ運搬台車
グリーンタイヤ運搬台車１１は、上記したように、一対の駆動軸１２、１３と、タイヤ載置用ベルト１６を備えている。また、図１中の１４および１５はガイドローラ、２０は脚部、２４はキャスターである。
【００２７】
一対の駆動軸１２、１３は、グリーンタイヤ運搬台車１１の上部に略並行に配置されており、筒状に成形された無端状の布材であるタイヤ載置用ベルト１６の内側に通されてタイヤ載置用ベルト１６を支持している。
【００２８】
また、それぞれの駆動軸１２、１３の下方には、ガイドローラ１４、１５が配設されており、このガイドローラ１４、１５もタイヤ載置用ベルト１６の内側に通されている。
【００２９】
そして、駆動軸１２の一方の端面には、六角形の嵌合穴１２ａ（図２参照）が設けられている。この嵌合穴１２ａに、後述の回転駆動装置４０の凸状ジョイント部３２が嵌合されることにより、グリーンタイヤ運搬台車１１と回転駆動装置４０とが連結される。
【００３０】
（３）回転駆動装置
回転駆動装置４０は、加硫機（図示省略）の近傍に配置されており、本体部３１と、本体部３１の上部に設けられた凸状ジョイント部３２と、この凸状ジョイント部３２を回転させる回転機構（図示省略）を備えている。
【００３１】
図２に示すように、凸状ジョイント部３２は、グリーンタイヤ運搬台車の駆動軸１２の嵌合穴１２ａの形状に対応した六角柱状の突起であり、凸状ジョイント部３２を六角形の嵌合穴１２ａに嵌合させることにより、グリーンタイヤ運搬台車と回転駆動装置とが連結される。この状態で回転機構によって凸状ジョイント部３２を回転させることにより、グリーンタイヤ運搬台車の駆動軸１２を回転させることができる。
【００３２】
２．グリーンタイヤの運搬・保持方法
次に、上記したグリーンタイヤ運搬・保持装置１０を用いたグリーンタイヤＴの運搬・保持方法を説明する。
【００３３】
先ず、図１（ｂ）に示すように、成形工程において成形されたグリーンタイヤＴを、グリーンタイヤ運搬台車１１のタイヤ載置用ベルト１６の上に縦置きの状態で駆動軸１２、１３の軸方向に並べて載置し、加硫機の近傍まで運搬する。
【００３４】
次に、グリーンタイヤ運搬台車１１の駆動軸１２の嵌合穴１２ａを、加硫機の近傍に設けられた回転駆動装置４０の凸状ジョイント部３２に嵌合させることにより、グリーンタイヤ運搬台車１１を回転駆動装置４０に連結させる。
【００３５】
そして、回転駆動装置４０の回転機構を稼働させ、凸状ジョイント部３２を介して駆動軸１２を回転させる。このとき、載置されたグリーンタイヤＴの重量によりタイヤ載置用ベルト１６に所定の張力が生じる。この状態で駆動軸１２を回転させると、タイヤ載置用ベルト１６と一対の駆動軸１２、１３との間に摩擦力が働き、図１（ｃ）に示すように、タイヤ載置用ベルト１６が回転する。これにより、タイヤ載置用ベルト１６上でグリーンタイヤＴを回転させて、グリーンタイヤＴが自重により変形しようとする力を分散させて変形を抑制することができ、加硫後のタイヤのユニフォミティの低下を防止することができる。
【００３６】
また、本実施の形態においては、駆動軸１２、１３の他にガイドローラ１４、１５がタイヤ載置用ベルト１６の内側に通されている。これにより、グリーンタイヤＴをタイヤ載置用ベルト１６上に載置させた際に、タイヤ載置用ベルト１６に所定の張力を生じさせることができると共に、沈み込んだタイヤ載置用ベルト１６が下方で回転移動するタイヤ載置用ベルト１６と接触することを防止することができる。
【００３７】
また、本実施の形態によれば、グリーンタイヤＴの変形を容易に抑制することができるため、従来より行なわれていたグリーンタイヤの積み替えなどの作業を省略して作業ロスが発生することを防止することができる。
【００３８】
３．本実施の形態におけるその他の好ましい態様
本実施の形態に係るグリーンタイヤ運搬・保持装置は、ＳＴサイズのタイヤのような重量が大きなタイヤの運搬や保持に特に好ましく用いることができる。このような重量が大きなタイヤは、台車上に載置させたままで保持時間が長くなると形状が著しく変形する恐れがあるが、本実施の形態に係るグリーンタイヤ運搬・保持装置によれば、グリーンタイヤＴを回転させながら保持しているため、このようなＳＴサイズのタイヤの自重による変形を適切に抑制することができる。
【００３９】
なお、グリーンタイヤ運搬台車１１のタイヤ載置用ベルト１６の駆動軸１２、１３の軸方向における寸法ｔは１．５〜２．５ｍ、一対の駆動軸１２、１３の間隔ｗは０．５〜１．５ｍであることが好ましい。これにより、タイヤサイズが１５〜２０インチのグリーンタイヤＴを４〜６本程度、縦置きの状態で変形させることなく運搬・保持することができる。
【００４０】
そして、駆動軸１２、１３の表面には滑り止め加工が施されていることが好ましい。滑り止め加工を施すことにより、タイヤ載置用ベルト１６と駆動軸１２、１３との間の摩擦力を向上させて、駆動軸１２、１３を回転させた際にタイヤ載置用ベルト１６との間で滑りが生じることを抑制することができる。このような滑り止め加工としては、ローレット加工が好ましい。
【００４１】
また、図３に示すように、回転駆動装置４０は加硫機の近傍において複数整列させて配置することが好ましい。これにより、複数のグリーンタイヤ運搬台車１１を同時に配置させることができ、多数のグリーンタイヤＴの運搬および保持を効率良く行うことができる。なお、図３は本実施の形態に係るグリーンタイヤ運搬・保持装置の配置位置を模式的に示す平面図であり、図３中の３３はそれぞれの回転駆動装置４０を操作するための配電盤である。
【００４２】
図４は本発明の他の実施の形態に係るグリーンタイヤ運搬・保持装置を示す正面図である。なお、図４においては、矢印の方向に仕切部材の側面図を記載している。図４に示すように、グリーンタイヤ運搬台車１１の上面に、駆動軸１２、１３の軸方向において所定の間隔を設けて複数の仕切部材３５が設けられていることが好ましい。これにより、タイヤ載置用ベルト１６上に載置されたグリーンタイヤＴの各々を互いに接触させることなく、独立して回転させることができる。なお、仕切部材３５の表面には、図４中の矢印で示した側面図のように、複数のボールベアリング３６が設けられていることが好ましく、これにより、各グリーンタイヤＴをスムーズに回転させることができる。
【実施例】
【００４３】
１．実施例および比較例
（１）実施例
成形後のグリーンタイヤＴ（タイヤサイズ：２８５／５０Ｒ２０  １１２Ｖ  ＰＴ２Ａ）を上記した実施の形態におけるグリーンタイヤ運搬台車１１に縦置きの状態で載置させ、グリーンタイヤ運搬台車１１と回転駆動装置４０とを接続してグリーンタイヤＴを回転させながら２時間保持した。
【００４４】
（２）比較例
図７に示すような従来のグリーンタイヤ運搬台車５０にグリーンタイヤＴを縦置きの状態で載置させたことを除いて、実施例と同じ条件でグリーンタイヤＴを２時間保持した。
【００４５】
２．評価
（１）グリーンタイヤの変形
実施例および比較例のそれぞれにおいて、２時間保持した後のグリーンタイヤＴの寸法を測定し自重による変形の程度を評価した（ｎ＝５）。
【００４６】
具体的には、図５に示すように、グリーンタイヤＴの水平方向の外径Ａと垂直方向の外径Ｂを測定すると共に、水平方向のビード内径ａと垂直方向のビード内径ｂを測定した。そして、水平方向の外径Ａと垂直方向の外径Ｂとの差（Ａ−Ｂ）と、水平方向のビード内径ａと垂直方向のビード内径ｂとの差（ａ−ｂ）を算出し、算出結果に基づいてグリーンタイヤの変形の程度を評価した。結果を表１に示す。
【００４７】
（２）ユニフォミティの評価
２時間保持した後のグリーンタイヤＴを加硫成形して、加硫後のタイヤのＲＦＶ（ラジアルフォースバリエーション）を測定し、その平均値と標準偏差を算出した（ｎ＝３０００）。ＲＦＶの測定結果を図６に、測定結果に基づいて算出したＲＦＶ平均値とＲＦＶ標準偏差を表１に示す。なお、図６（ａ）は実施例の測定結果を示し、（ｂ）は比較例の測定結果を示す。
【００４８】
【表１】
0006454220.tif 000002
【００４９】
表１より、比較例では、グリーンタイヤ外径およびグリーンタイヤビード内径の何れにおいても、水平方向の寸法と垂直方向の寸法の差が大きくなっており、グリーンタイヤが楕円形に変形していることが分かる。一方、実施例では、水平方向の寸法と垂直方向の寸法の差が小さく、自重による変形が抑制されていることが分かる。
【００５０】
また、図６および表１より、ＲＦＶの平均値、標準偏差の何れにおいても、実施例の方が比較例よりも低い値になっており、ユニフォミティに優れたタイヤが製造されていることが確認できた。
【００５１】
以上より、実施例のように、タイヤ載置用ベルト上に載置されたグリーンタイヤを回転させることにより、グリーンタイヤＴの変形を抑制して加硫後のタイヤのユニフォミティの低下を防止できることが確認できた。
【００５２】
以上、本発明を実施の形態に基づき説明したが、本発明は上記の実施の形態に限定されるものではない。本発明と同一および均等の範囲内において、上記の実施の形態に対して種々の変更を加えることが可能である。
【符号の説明】
【００５３】
１０                    グリーンタイヤ運搬・保持装置
１１、５０              グリーンタイヤ運搬台車
１２、１３              駆動軸
１２ａ                  嵌合穴
１４、１５              ガイドローラ
１６                    タイヤ載置用ベルト
２０、５２              脚部
２４、５１              キャスター
３１                    本体部
３２                    凸状ジョイント部
３３                    配電盤
３５                    仕切部材
３６                    ボールベアリング
４０                    回転駆動装置
５３、５４              フレーム
５５                    タイヤ載置用布材
Ａ                      グリーンタイヤの水平方向の外径
ａ                      グリーンタイヤの水平方向のビード内径
Ｂ                      グリーンタイヤの垂直方向の外径
ｂ                      グリーンタイヤの垂直方向のビード内径
Ｔ                      グリーンタイヤ
ｔ                      駆動軸の軸方向におけるタイヤ載置用ベルトの寸法
ｗ                      一対の駆動軸の間隔
【図１】
0006454220.tif 000003
【図２】
0006454220.tif 000004
【図３】
0006454220.tif 000005
【図４】
0006454220.tif 000006
【図５】
0006454220.tif 000007
【図６】
0006454220.tif 000008
【図７】
0006454220.tif 000009